(57)【要約】【課題】利用者の視認性の自由度を高めるなど、新規な機能を付加した複合表示式の時計と、これの構成部品となる時計用文字盤とを提供する。【解決手段】時刻を表すための文字部７０の表示機能を有する表示パネル５を備えた時計用文字盤である。表示機能は、表示パネル５における文字部７０の表示位置を、時計用文字盤の周方向に角度を変えて移動させる第１の表示機能を有する。また、時計は、この時計用文字盤と、指針部２２、２３とを有してなる。【選択図】図１０
2008122124.tif 000002
【特許請求の範囲】
【請求項１】
時刻を表すための文字部の表示機能を有する表示パネルを備えた時計用文字盤であって、
前記表示機能は、前記表示パネルにおける前記文字部の表示位置を、前記時計用文字盤の周方向に角度を変えて移動させる第１の表示機能を有することを特徴とする時計用文字盤。
【請求項２】
前記表示機能には、前記文字部とは別の付属部を表示する第２の表示機能が備えられていることを特徴とする請求項１に記載の時計用文字盤。
【請求項３】
前記第２の表示機能には、前記付属部の表示位置を前記文字部の表示位置の移動とともに前記時計用文字盤の周方向に角度を変えて移動させる第３の表示機能を有することを特徴とする、請求項２に記載の時計用文字盤。
【請求項４】
前記第１の表示機能及び前記第３の表示機能は、前記文字部又は前記付属部の表示位置を、前記時計用文字盤の周方向に、３０度毎に変更できるように構成されていることを特徴とする請求項１〜３のいずれか一項に記載の時計用文字盤。
【請求項５】
前記第１の表示機能及び第２の表示機能は、予め設定したデータに基づき、前記文字部又は前記付属部の表示位置を所定角度変更して表示する機能を有することを特徴とする請求項１〜４のいずれか一項に記載の時計用文字盤。
【請求項６】
前記表示パネルは、電気泳動表示パネルであることを特徴とする請求項１〜５のいずれか一項に記載の時計用文字盤。
【請求項７】
時刻を表すための文字部を表示する表示パネルを備えた時計用文字盤と、指針部とを有してなり、
前記時計用文字盤が、請求項１〜６のいずれか一項に記載の時計用文字盤からなることを特徴とする時計。
【発明の詳細な説明】
【技術分野】
【０００１】
本発明は、時計用文字盤とこの時計用文字盤を備えた時計に関する。
【背景技術】
【０００２】
従来、デジタル表示式（液晶表示式）の表示パネル上でアナログ指針を運針させる複合表示式の腕時計が知られている。この種の腕時計には、表示パネルにキャラクタ又は時字等を表示し、この表示を変化させるものがある（例えば、特許文献１参照）。
また、ベゼル（外周に目盛を持たせ回転させることにより設定を変更）や、文字盤の一部を回転部材にすることにより、指針の背景となる文字盤の表示位置を可変にできる時計も知られている（例えば、特許文献２、３、４参照）。
【特許文献１】特開昭６３− ６６４８６号公報
【特許文献２】特表２００５−５２１８９０号公報
【特許文献３】特開２００４−５３３１５号公報
【特許文献４】特開平９−２３００６１号公報
【発明の開示】
【発明が解決しようとする課題】
【０００３】
ところで、前記した従来の複合表示式の腕時計では、指針の背景となる文字盤の表示位置が一定であることから、利用者が視認し易い角度でこれを見ようとした場合に、腕の位置（角度）等を適宜に変える必要がある。ところが、自動車を運転しているときや、サービス業に従事しているときなどでは、姿勢が固定されていて腕の位置（角度）を自由にできないことがあり、そのような利用形態にある人達にとっては、より視認し易い時計の提供が望まれている。
また、前記の、指針の背景となる文字盤の表示位置を可変にした時計では、機構が複雑になったり、表示が２重になるといった課題があり、実用には難があった。
また、文字盤の表示位置を簡易的にシール等で表示することも考えられるが、剥離してしまったり、シールにより針が見にくくなるといった課題があり、やはり実用には難があった。
【０００４】
本発明は前記事情に鑑みてなされたもので、その目的とするところは、利用者の視認性の自由度を高めるなど、新規な機能を付加した複合表示式の時計と、これの構成部品となる時計用文字盤とを提供することにある。
【課題を解決するための手段】
【０００５】
前記課題を解決するため本発明の時計用文字盤は、時刻を表すための文字部の表示機能を有する表示パネルを備えた時計用文字盤であって、前記表示機能は、前記表示パネルにおける前記文字部の表示位置を、前記時計用文字盤の周方向に角度を変えて移動させる第１の表示機能を有することを特徴とする。
この時計用文字盤によれば、文字部の表示位置を、時計用文字盤の周方向に角度を変えて移動させる第１の表示機能が設けられているので、文字部の表示位置を所望の角度変えて移動させることにより、例えば腕の位置（角度）を変えることなく、利用形態によって固定された姿勢のままで視認し易くなるように、文字部の表示位置を角度調整することが可能になる。
【０００６】
また、前記時計用文字盤においては、前記表示機能に、前記文字部とは別の付属部を表示する第２の表示機能が備えられているのが好ましい。
このようにすれば、例えば「日にち」や「曜日」などの暦情報を付属部として表示することが可能になる。
【０００７】
なお、この時計用文字盤においては、前記第２の表示機能には、前記付属部の表示位置を前記文字部の表示位置の移動とともに前記時計用文字盤の周方向に角度を変えて移動させる第３の表示機能を有するのが好ましい。
このようにすれば、暦情報などの付属部についても、文字部と同様に視認し易い角度に調整することが可能になる。
【０００８】
また、前記時計用文字盤においては、前記第１の表示機能及び前記第３の表示機能は、前記文字部又は前記付属部の表示位置を、前記時計用文字盤の周方向に、３０度毎に変更できるように構成されているのが好ましい。
このように、時刻を表す「１〜１２」等の文字（数字）で表される文字部の表示位置を、３０度毎に変更させることにより、例えば腕時計のベルトで位置決めされた表示パネルを種々の角度で見ることができるようになり、したがって固定された姿勢でより視認し易く調整することが可能になる。また、３０度毎に変更させることにより、腕時計の一般的な使用形態から１時間ずつずれた表示にすることができ、したがって海外（外国）の現地時間を表示させようとした場合に、時間単位で異なる海外時間を容易に表示することが可能になる。
【０００９】
また、前記時計用文字盤においては、前記第１の表示機能及び第２の表示機能は、予め設定したデータに基づき、前記文字部又は前記付属部の表示位置を所定角度変更して表示する機能を有するのが好ましい。
このようにすれば、例えば日本時間と海外（外国）の現地時間との間の時差を予めデータとして入力し、メモリ部に記憶させておくことにより、記憶させた時差に対応させて前記文字部の表示位置を所定角度変更させることができる。したがって、海外（外国）の現地時間を容易にかつ瞬時に表示させることが可能になる。
【００１０】
また、前記時計用文字盤においては、前記表示パネルが、電気泳動表示パネルであるのが好ましい。
電気泳動表示パネルを構成する電気泳動素子は、表示の保持性（メモリ性）を有していることから、時刻を表すための文字部を一旦表示した後には、表示パネルへの電圧印加を停止しても表示が電圧印加時の状態に保持される。したがって、消費電力の低減化が可能になる。
【００１１】
本発明の時計は、時刻を表すための文字部を表示する表示パネルを備えた時計用文字盤と、指針部とを有してなり、前記時計用文字盤が、前記の時計用文字盤からなることを特徴としている。
この時計によれば、前述したように、例えば腕の位置（角度）を変えることなく、利用形態によって固定された姿勢のままで視認し易くなるように、文字部の表示位置を角度調整することが可能な時計用文字盤を有してなるので、視認性についての自由度が高まることにより、使い勝手が極めて良好になる。また、時差のある海外の現地時間の表示なども可能になる。
【発明を実施するための最良の形態】
【００１２】
以下、図面を参照して本発明を詳しく説明する。
図１は、本発明における時計の一実施形態としての腕時計１の正面図であり、図２は、この腕時計１の要部側断面図である。この腕時計１は、図１に示すように時計ケース２と、この時計ケース２に連結された一対のバンド３とを備えて構成されたものである。時計ケース２は、ステンレス等の金属材又はプラスチック樹脂等の樹脂材で形成されたもので、その内部には、図２に示すように、ムーブメント４と表示パネル５とからなる時計用文字盤１０が収容されている。
【００１３】
なお、時計ケース２内には、時計用文字盤６の表示パネル５側（時計表側）に、樹脂製又は金属製の圧入リング（図示せず）を介して、ガラス製又は樹脂製の透明カバー（図示せず）が圧入固定されている。また、ムーブメント４側（時計裏側）には、パッキン（図示せず）を介して裏蓋（図示せず）が螺合され、この裏蓋及び透明カバーによって時計ケース２の内部の密封性が確保されている。
【００１４】
また、前記時計ケース２には、図１に示すように、操作子としての竜頭１０と二つの操作ボタン１１ａ、１１ｂとが設けられている。竜頭１０は、後述するようにムーブメント４の巻真３１に連結され、この巻真３１と一体となって多段階（本例では２段階）で押し引き自在、かつ、回転自在に設けられたものである。
【００１５】
ムーブメント４は、図３に示すように、秒針２１、分針２２及び時針２３からなるアナログ指針が連結された運針機構２０を備えたもので、この運針機構２０が前記アナログ指針２１〜２３を回転駆動することにより、設定された時刻（通常は現在時刻）を表示する時刻表示部として機能するものとなっている。
詳述すると、この運針機構２０は、秒車２４、２番車２５及び筒車２６が互いに連動するように、中間車２７、２８を介して連結された歯車輪列２９を有し、秒車２４の回転軸には、秒針２１の一端が取り付けられ、２番車２５の回転軸には、分針２２の一端が取り付けられ、また、筒車２６の回転軸には、時針２３の一端が取り付けられる。そして、秒車２４には、駆動モータ３０の駆動歯車３０Ａが噛み合い、この駆動モータ３０の回転によって秒車２４が回転駆動され、この回転が２番車２５及び筒車２６に伝達されて、秒針２１、分針２２及び時針２３の各々が回転駆動され、これら針２１〜 ２３によって時刻が表示されるようになっている。
なお、図３においては、説明の便宜上、秒車２４、２番車２５及び筒車２６を離しているが、実際には、図１及び図２に示すように、これらは同軸上に配列されている。
【００１６】
また、前記竜頭１０は、図４に示すように、ムーブメント４の巻真３１と連結され、この巻真３１には、おしどり３２が係合している。このおしどり３２は、かんぬき３３と係合し、巻真３１の引き出し位置を決めると共に、スイッチレバー３４の一端３４Ａと連結したものである。このスイッチレバー３４は、地板１００に回動軸３４Ｒを支点にして回動自在に設けられ、巻真３１の押し引きに応じておしどり３２により回動させられ、巻真３１の引き出し位置に応じて回動位置が位置決めされるものである。
【００１７】
このスイッチレバー３４の他端３４Ｂには、接点部３４Ｘが設けられ、この接点部３４Ｘが、巻真１段目では回路基板に形成されたパターンＰ１と導通し、巻真２段目ではパターンＰ２と導通する。これらパターンＰ１、Ｐ２の導通／非導通は、後述する竜頭操作検出部５８により検出され、この竜頭操作検出部５８によって、竜頭１０が０段引きの位置（最も時計ケース２側に押し込んだ位置（図１に示す位置））か、１段引きの位置か、２段引きの位置かが検出されるようになっている。
【００１８】
さらに、前記巻真３１には、つづみ車３１Ａが連結されており、このつづみ車３１Ａは、かんぬき３３の作動によって巻真２段目では、時刻修正車１０１に噛み合うようになっている。これにより、巻真２段目では竜頭１０の回転に応じて時刻修正車１０１が回転し、この時刻修正車１０１の回転によって分針２２及び時針２３が回転することにより、時刻が修正されるようになっている。
【００１９】
また、ムーブメント４内には、巻真３１の回転量を検出する回転検出器（ロータリーエンコーダ）１１０が設けられており、この回転検出器１１０には、図５に示すように、巻真３１の周面に沿って略半円弧状に設けられた検出電極１１１Ａと、検出電極１１１Ａに向けて付勢された板ばね状のスイッチ電極１１２Ａとからなる第１スイッチＳＷ１が設けられている。この第１スイッチＳＷ１は、スイッチ電極１１２Ａが検出電極１１１Ａに接触しているとき、オンとなるスイッチである。また、回転検出器１１０には、第１スイッチＳＷ１とは別に、検出電極１１１Ｂとスイッチ電極１１２Ｂとからなる第２スイッチＳＷ２が設けられている。この第２スイッチＳＷ２も、前記第１スイッチＳＷ１と同様に、スイッチ電極１１２Ｂが検出電極１１１Ｂに接触しているとき、オンとなるスイッチである。
【００２０】
また、検出電極１１１Ａ、１１１Ｂは、図６に示すようにそれぞれ、巻真３１の中心Ｏを基準にして、約９０度ずらして配設されている。したがって、竜頭１１００が回転された際、その回転方向が時計方向である場合には、図７に示すように、第１スイッチＳＷ１が第２スイッチＳＷ２よりも先行してオン状態（Ｈｉｇｈ状態）となり、これとは逆に、反時計方向である場合には、第２スイッチＳＷ２が第１スイッチＳＷ１よりも先にオン状態（Ｈｉｇｈ状態）となる。
【００２１】
前記各スイッチＳＷ１、ＳＷ２のオンオフは、竜頭操作検出部５８によって検出され、この竜頭操作検出部５８は、第１スイッチＳＷ１と第２スイッチＳＷ２のどちらか先行してオンになったか否かを検出することにより、竜頭１０の回転方向を検出し、かつ、各スイッチＳＷ１、ＳＷ２がオンになった回数をカウントすることで、竜頭１０の回転量を検出している。
【００２２】
表示パネル５は、図２に示すように、前記ムーブメント４の時計正面側に配設されたもので、時計用文字盤６の表示部を形成するものである。また、この表示パネル５は、本実施形態ではアクティブマトリクス駆動の電気泳動表示パネルからなっており、後述するように円形状の表示面を有したものである。なお、この表示パネル５には、その中央に貫通孔５Ａが形成されており、この貫通孔５Ａから、前記ムーブメント４の秒車２４、２番車２５及び筒車２６の各軸が突出し、この軸の先端に秒針２１、分針２２及び時針２３が取り付けられている。
【００２３】
また、この表示パネル５は、図８に示すように、電気泳動層３５を挟んで対向配置された実装基板３６と透明基板３７とを備えている。実装基板３６には、その内面（透明基板３７側の面）に画素電極ＤＡが配設され、透明基板３７には、その内面（実装基板３６側の面）に、ＩＴＯ（Indium-Tin Oxide）蒸着等で形成された透明の共通電極ＤＢが形成されている。これら各電極ＤＡ、ＤＢには、図２に示すフレキシブルプリント基板７に設けられた表示駆動回路（図示せず）が接続されている。
【００２４】
また、図８に示すように前記電気泳動層３５は、複数のマイクロカプセル３８から構成され、これらマイクロカプセル３８には、電気泳動粒子３９を含有してなる電気泳動分散液４１が封入されている。この電気泳動分散液４１は、例えば白色に着色された分散液（図示せず）中に、プラス極性に帯電した青色の電気泳動粒子３９を分散させたもので、いわゆる１粒子系の電気泳動層を構成するものである。
【００２５】
このような構成のもとに前記表示パネル５は、図９のブロック図に示すように、前記表示駆動回路９によって例えば共通電極ＤＢが０Ｖ電位（アース電位）にされ、設定された画素電極ＤＡにプラス電圧の駆動電圧が印加されてプラス電位とされると、該画素電極ＤＡから共通電極ＤＢに向かう電界が発生する。すると、電気泳動層３５では、マイクロカプセル３８内のプラスに帯電した電気泳動粒子（青色粒子）３９が共通電極ＤＢ側に移動し、これに伴って白色の分散液が画素電極ＤＡ側に移動する。その結果、透明基板３７側から視認されるマイクロカプセル３８が青色を呈することにより、駆動電圧が印加された画素電極ＤＡからなるパターン形状が青色で表示される。
【００２６】
また、これとは逆に、表示駆動回路９によって共通電極ＤＢがプラス電位とされ、設定された画素電極ＤＡが０Ｖ電位に保持されると、プラスに帯電した電気泳動粒子（青色粒子）３９が前記画素電極ＤＡ側に移動し、これに伴って白色の分散液が共通電極ＤＢ側に移動する。これにより、透明基板３７側から視認されるマイクロカプセル３８が白色を呈し、したがって駆動電圧が印加されない画素電極ＤＡからなるパターン形状は白色となる。
【００２７】
また、共通電極ＤＢとセグメント電極ＤＡとの間に電位差を生じない場合には、電気泳動粒子（青色粒子）３９の移動が生じないため、画素電極ＤＡによって形成されるパターンの表示色は変化せず、それ以前の状態がそのままに維持される。すなわち、表示のメモリ性が発揮される。
なお、本実施形態では、表示駆動回路９が昇圧回路を内蔵し、ボタン電池等の電源５０から供給される電圧（例えば３Ｖや１．５Ｖ）を昇圧して＋１２Ｖの電圧を生成して、この＋１２Ｖの電圧、あるいは、０Ｖの電圧を駆動電圧としてセグメント電極ＤＡ及び共通電極ＤＢに印加している。
【００２８】
ここで、この表示パネル５は、多数の画素電極ＤＡを有してアクティブマトリクス駆動をなす構成となっており、したがって、前記したように電圧を印加した画素電極ＤＡに応じた各種のパターンを表示するようになっている。本実施形態では、図１０（ａ）に示すようにその表示面（表示領域）の外周部に、時刻を表すための１〜１２の数字（図１０では簡略化して３、６、９、１２のみを記載し、他の数字は省略している）、すなわち時刻を表すための文字部７０を表示するようになっている。また、本実施形態では、この文字部７０とは別に、表示パネル５の中央側に付属部７１を表示するようになっている。この付属部７１は、本実施形態では「日にち」と「曜日」からなる暦情報を表示するようになっている。
なお、図１０（ａ）〜（ｄ）では、見やすくするため、分針２２及び時針２３のみを記載し、秒針２１を省略している。
【００２９】
前記の図９は、腕時計１のブロック図である。
前記制御部８は、腕時計１全体を中枢的に制御するもので、ＣＰＵ、ＲＯＭ、ＲＡＭ等を有し、ＣＰＵがＲＯＭに記憶された制御プログラムを実行することによって腕時計１の各部を制御するように構成されたものである。すなわち、この制御部８は、電源５０に接続されたもので、時計制御回路５１と、メモリー（メモリ部）５２と、本発明における第１の表示機能となる表示書換え回路５３とを備えて構成されたものである。
【００３０】
時計制御回路５１は、振動子を発振させて例えば３２ｋＨｚの基準クロック信号を出力する発振回路と、前記の基準クロック信号を例えば１Ｈｚまで分周し、１Ｈｚのクロック信号を出力する分周回路とを備え、さらに、前記駆動モータ３０を制御するモータ駆動回路を備えたもので、駆動モータ３０に駆動信号を供給することにより、前記ムーブメント４の運針機構２０を駆動させ、秒針２１、分針２２及び時針２３を回転駆動させるものである。
【００３１】
メモリー５２は、予め設定された表示（画像）パターン、例えば「１〜１２」の時刻を表す文字部７０のパターンや、「１〜３１」の「日にち」を表す付属部７１のパターン、さらには「Ｓｕｎ〜Ｓａｔ」の「曜日」を表す付属部７１のパターンを記憶し、前記表示書換え回路を５３を介して表示駆動回路９に記憶したデータを送るものである。
【００３２】
表示書換え回路５３は、前記したように本発明における第１の表示機能となるもので、前記操作ボタン１１ａによって入力された設定に基づき、前記文字部７０の表示位置、さらには前記付属部７１の表示位置を、表示パネル５（時計用文字盤６）の周方向に角度を変えて移動させるものである。また、本実施形態では、後述するように前記文字部７０及び付属部７１の表示位置は共に、前記表示パネル５（時計用文字盤６）の周方向に、３０度毎に変更させられるようになっている。
【００３３】
すなわち、図１０（ａ）に示したような標準の状態から、図１０（ｂ）に示したように文字部７０及び付属部７１の表示位置を時計回り方向に３０度移動させ、あるいは図１０（ｃ）に示したように文字部７０及び付属部７１の表示位置を反時計回り方向に３０度（時計回り方向に３３０度）移動させ、さらには、図１０（ｄ）に示したように文字部７０及び付属部７１の表示位置を反時計回り方向に９０度（時計回り方向に２７０度）移動させることができるようになっているのである。
なお、付属部７１については、文字部７０と共に角度移動させることから、特に本実施形態では、前記文字部７０の表示のセンターライン、すなわち時刻を表す数字の「１２」と「６」とを結ぶ直線上を中心にして、前記付属部７１を表示させるようになっている。
【００３４】
ここで、前記制御部８には、ソフトウェア処理あるいはハードウェア（カウンタ等）により、前記分周回路から出力された所定周波数の信号を計数して暦（時刻を計時してもよい）を計時する計時手段が備えられている。そして、この計時手段で計数した暦のデータを表示駆動回路９に送ることにより、表示駆動回路９によって付属部７１の表示を表示パネル５になさせるようになっている。
【００３５】
表示駆動回路９は、前記文字部７０を表示する表示機能７２と、この表示機能７２に備えられた前記付属部７１を表示する付属表示機能（第２の表示機能）７３とを有したもので、前記制御部８の表示書換え回路５３から送られてきた信号（データ）を基に、文字部７０及び付属部７０の表示を表示パネル５になさせるように構成されたものである。すなわち、予めメモリー５２に設定された表示（画像）パターンに対応するようにして、前記画素電極ＤＡに選択的に電圧を印加し、青色のパターン形状を文字部７０及び付属部７１として表示させるものである。なお、前記付属部７１を表示する付属表示機能（第２の表示機能）７３には、前記付属部７１の表示位置を前記文字部７０の表示位置とともに、前記表示パネル５（時計用文字盤６）の周方向に、角度を変えて移動させる第３の表示機能が備えられている。
【００３６】
前記操作ボタン１１ａ、１１ｂには、該操作ボタン１１ａ、１１ｂの操作を検出して制御部８に通知する操作検出部５７が接続されており、前記竜頭１０には、該竜頭１０の押し込み操作及び回転操作を検出し、検出結果を制御部８に通知する竜頭操作検出部５８が接続されている。
操作ボタン１１ａは、例えばこれを一回押圧すると、前記操作検出部５７がこれを認識し、前記制御部８にデータとして信号を送る。すると、制御部８では、操作検出部５７から信号が送られてくると、例えばその一回ごとに、前記文字部７０及び付属部７１の表示位置を、時計回り方向に３０度変えて移動させるように表示書換え回路５３を制御する。したがって、例えば図１０（ａ）に示した標準の状態から、図１０（ｂ）に示した状態に変更したい場合には、操作ボタン１１ａを１回押圧すればよく、また、図１０（ｄ）に示した状態に変更したい場合には、操作ボタン１１ａを９回押圧すればよく、さらに、図１０（ｃ）に示した状態に変更したい場合には、操作ボタン１１ａを１１回押圧すればよいことになる。
なお、移動させる方向を、時計回り方向でなく、反時計回り方向となるように設定しておいてもよく、さらには、移動させる方向を操作ボタン１１ａまたは操作ボタン１１ｂの操作によって切り換えられるように設定しておいてもよい。
【００３７】
また、竜頭１０については、例えばこれが０段引きの位置（最も時計ケース２側に押し込んだ位置（図１に示す位置））にあると、該竜頭１０が空回りするようになっている。そして、これが１段引きの位置にあると、その位置での竜頭１０の回転量が竜頭操作検出部５８を介して制御部８に通知され、制御部８が、この回転量に応じて付属部７１の表示となる「暦」を修正する。なお、竜頭１０の回転量検出は、前記のような回転検出器１１０を用いる方法に代えて、竜頭１０の回転を光学的或いは電気的に検知する方法（無接点方式、接点方式）を用いてもよい。
【００３８】
また、竜頭１０が２段引きの位置では、竜頭１０の回転操作によってムーブメント４の運針機構２０の歯車輪列２９が駆動され、回転量に応じて時刻が修正される。この場合、竜頭１０により歯車輪列２９を直接駆動する手動方式に代えて、制御部８が、竜頭操作検出部５８から竜頭１０の回転量を取得し、この回転量に対応する分だけモータ駆動回路５４により駆動モータ３０を回転駆動させる電子修正方式を用いてもよい。
【００３９】
また、この腕時計１には、秒針２１、分針２２及び時針２３の位置を検出する針位置検出部５９が備えられており、この針位置検出部５９により、各アナログ指針２１〜２３の回転位置が制御部８に通知されるようになっている。ここで、この針位置検出部５９の回転量検出は、回転検出器（ロータリーエンコーダ）１１０を用いる方法（相対方式、絶対方式（時針２３の回転を８６４００又は４３２００分割、時針２３を２４分割又は１２分割、分針２２を６０分割、秒針２１を６０分割して回転位置を得る）、あるいは、アナログ指針２１〜２３の回転位置を光学的あるいは電気的に検知する方法（無接点方式、接点方式）が用いられる。
【００４０】
なお、針位置検出部５９は、回転検出器１１０等を用いる構成に限らず、アナログ指針によって表示される時刻と同一の時刻を、内部カウンタを用いて計時（計数）し、この内部カウンタの値からアナログ指針の位置を検出する構成を採用してもよい。より具体的には、内部カウンタの時刻をアナログ指針によって表示される時刻と同一に設定するため、例えば竜頭１段目の状態で操作ボタン１１ｂの操作（電子時刻修正操作）により、アナログ指針の位置を初期位置（例えば２４時）及び内部カウンタの値を前記初期位置に対応する初期値に設定する。その後、例えば竜頭２段目の状態で操作ボタン１１の操作（電子時刻修正操作）により、アナログ指針の位置を現在時刻の位置に設定し、この設定操作に従って内部カウンタの値をカウントアップ又はカウントダウンして現在時刻に対応する値にする。そして、竜頭０段目とされた時点から、内部カウンタのカウントアップと同期してアナログ指針を進めることにより、内部カウンタの時刻がアナログ指針の表示時刻と同一にすることができる。この構成によれば、回転検出器１１０が不要となり、その分、部品点数の削減や腕時計１の小型化、薄型化等を図ることができる。
【００４１】
このような構成の腕時計１にあっては、図１０（ａ）に示した標準の状態では、通常の腕時計と同様に機能させることができる。また、自動車を運転しているときや、サービス業に従事しているときなど、特に姿勢が固定されていて腕の位置（角度）を自由にできない場合には、予め、操作ボタンン１１ａを操作して、文字部７０及び付属部７１の表示位置を、前記した固定された姿勢での腕の位置（角度）においてより視認し易い角度に移動させておく。そして、その状態で竜頭１０を調整し、アナログ指針２１〜２３を文字部７０による時刻表示に対応した現在時刻に修正する。例えば、図１０（ａ）に示した標準の状態から、図１０（ｂ）に示したように時計回り方向に３０度移動させた場合には、アナログ指針である分針２２及び時針２３を１時間進めることにより、文字部７０によって示される時刻表示を現在時刻に修正する。
【００４２】
その際、分針２２と時針２３との相対的位置関係は、本来の位置関係とはずれてしまう。例えば、本来１２時では分針２２と時針２３とが「１２」を示す位置で重なり合うが、図１０（ｂ）に示した状態では、「１２」を示す位置で重なり合うことはなく、「１１」（図示せず）を示す位置で重なり合うようになる。しかし、腕時計１の利用者は、自らその設定を変更していることから、このようなずれは予め認識していることであり、特に支障は生じない。
【００４３】
したがって、このような腕時計１によれば、その時計用文字盤６に表示書換え回路５３（第１の表示機能）が設けられており、文字部７０及び付属部７１の表示位置を所望の角度変えて移動させることができるようになっているので、腕の位置（角度）を変えることなく、利用形態によって固定された姿勢のままで視認し易くなるように、文字部７０及び付属部７１の表示位置を角度調整することができる。よって、視認性についての自由度が高まることにより、使い勝手が極めて良好なものとなる。
【００４４】
図１１は、本発明における時計の他の実施形態としての、腕時計６０を示す図である。この腕時計が先に示した腕時計１と異なるところは、前記した表示書換え回路５３（第１の表示機能）によって文字部７０の表示位置を角度調整することにより、時差がある海外での現地時間を表示できるようにした点である。
【００４５】
すなわち、この実施形態の腕時計６０では、図９のブロック図に示したように、制御部８に表示書換え回路５３にが設けられ、さらにこの制御部８にメモリー５２が設けられている。メモリー５２には、前記した文字部７０や付属部７１についての表示（画像）パターンとは別に、時差がある海外の主な都市名（あるいは国名）と、その都市（国）の時差とが予めデータとして記憶されている。そして、制御部８は、例えば操作ボタン１１ｂによって「Ｗｏｒｌｄ  Ｗａｔｃｈ」（世界時間）に設定され、さらに図１１に示すように都市名が選択されると、メモリー５２に記憶した時差に基づき、表示書換え回路５３（第１の表示機能）に文字部７０の表示位置を所定角度変更させるよう、制御するようになっている。
【００４６】
なお、操作ボタン１１ｂによって「Ｗｏｒｌｄ  Ｗａｔｃｈ」（世界時間）に設定されると、表示書換え回路５３は、付属部７１の表示を、「日にち」及び「曜日」から、メモリー５２に記憶した都市名（あるいは国名）に切り換えるよう、表示駆動回路９に信号を送るようになっている。
また、本実施形態では、付属部７１の表示位置は、文字部７０の表示位置とともに角度変更せず、標準状態におけるセンターラインを中心にした位置に固定されているものとする。
【００４７】
このような構成の腕時計６０により、所望の都市の現地時間を見たい場合には、図１３のフローチャートに示すように、まず、竜頭１０を操作してを現状の時刻表示にする（ステップ１：ＳＴ１と記す。以下同様）。続いて、腕時計６０の文字部７０の表示状態を、図１に示したような標準の状態に戻す（ステップ２）。なお、一回の操作で標準の状態に戻らない場合には、標準の状態に戻るまで、操作を繰り返し行う。
【００４８】
そして、標準状態にあることを確認したら、操作ボタン１１ｂを押圧して「標準状態」（日本においては日本時間）から「Ｗｏｒｌｄ  Ｗａｔｃｈ」（世界時間）に設定し直す（ステップ３）。すると、前記したように付属部７１では、予めメモリー５２に記憶された都市名（国名）のうちの、設定された順番における最初の表示を行う（ステップ４）。
【００４９】
腕時計６０の利用者は、付属部７１として表示された都市名（国名）を見て、希望する都市名（国名）と異なる場合には、例えば操作ボタン１１ａを押圧し続けることで、選択した都市名（国名）を順次切り換えていく（ステップ５）。そして、所望する都市名（国名）が表示されたら、例えば操作ボタン１１ａへの押圧を解除することにより、表示されている都市名（国名）を選択したことを決定する（ステップ６）。すると、前記制御部８は、メモリー５２に記憶した時差に基づき、表示書換え回路５３（第１の表示機能）に文字部７０の表示位置を所定角度変更させるよう、制御する（ステップ７）。なお、このとき、文字部７０の色調や濃淡を変えることにより、ＡＭ（午前）とＰＭ（午後）とが容易に見分けられるよう、表示させるようにしてもよい。
その後、必要に応じて竜頭１０を操作し、分針２２、さらには時針２３を動かすことで、より正確な海外時間に合わせる。
【００５０】
このように、操作ボタン１１ａ、１１ｂによって所望する都市名（国名）を設定することにより、利用者は通常の時計と同様に、角度変更された文字部７０にアナログ指針２１〜２３を対応させることで、設定した都市（国）の現地時間を容易にかつ瞬時に視認することが可能になる。また、アナログ指針（分針２２、時針２３）を動かす必要がある場合にも、先に文字部７０を角度変更しているので、これらアナログ指針の移動を最小限に抑えることができる。
【００５１】
したがって、この腕時計６０によれば、前述したように利用形態によって固定された姿勢のままで視認し易くなるように、文字部７０及び付属部７１の表示位置を角度調整することができ、これによって視認性についての自由度が高まり、使い勝手が極めて良好なものとなるのに加え、時差のある海外での現地時間の表示も可能なものとなる。
【００５２】
なお、本発明は前記実施形態に限定されることなく、本発明の要旨を逸脱しない範囲で種々の変更が可能である。例えば、前記実施形態では表示パネル５として電気泳動表示パネルを採用したが、これ以外にも、液晶表示パネルや有機ＥＬ表示パネル、さらにはツイストボール方式の表示パネル等を採用することもできる。
また、前記電気泳動表示パネルでは、１種類の電気泳動粒子３９を分散させた電気泳動分散液４１を用いて電気泳動層３５を構成したが、例えば黒色粒子と白色粒子とを分散させてなる２粒子系の電気泳動分散液を用いて、電気泳動層３５を構成するようにしてもよい。
【００５３】
また、先の実施形態では、表示書換え回路５３（第１の表示機能）によって文字部７０と共に、付属部７１の表示位置も変更するようにしたが、本発明はこれに限定されることなく、後の実施形態のように、文字部７０の表示位置のみを変更するように構成してもよい。また、後の実施形態について、文字部７０と共に、付属部７１の表示位置も変更するように構成してもよい。
さらに、前記実施形態の時計では、指針部としてアナログ指針２１〜２３を採用しているが、これに代えてデジタル指針を採用することもできる。
また、前記実施形態では、本発明の時計を腕時計に適用した例を示したが、置時計や壁掛時計、柱時計、懐中時計などにも適用できるのはもちろんである。
【００５４】
また、前記実施形態では、時刻を表すための文字部７０として、「１〜１２」のアラビア数字を用いているが、他に例えば、「I〜XII」のローマ数字を用いることもできる。
また、前記実施形態では、付属部７１の表示として、「日にち」及び「曜日」からなる暦や、「都市名（国名）」を表示する例について述べたが、本発明はこれに限定されることなく、年、月等の他の暦情報、アナログ指針２１〜２３が指し示す目盛り（時字を含む）、タイマー機能を具備する場合のタイマー設定値やカウント値、ストップウォッチ機能を具備する場合のスプリット値と計時値（値は数字や文字の場合と、針の形状を絵で描画する場合の両方を含む）、アラーム機能を具備する場合のアラーム設定時刻、仮想２４時針、月齢表示、バッテリー残量、方位、高度、水深、位置、温度、湿度、気圧、背景（キャラクタ表示も含む）や模様等の画像を表示するようにしてもよい。
【００５５】
また、前記実施形態では、前記腕時計が一次電池であるボタン電池等を電源とし、その電力によって駆動させる場合について例示したが、これに限定されることなく、二次電池又は商用電源で駆動可能に構成することもできる。また、二次電池を使用する場合には、発電装置を設け、この発電装置の発電電力により二次電池を充電可能に構成してもよい。この発電装置には、例えば、時計内に回転錘を設け、この回転錘を、ユーザの腕振り等の運動エネルギーで旋回させて発電する自動巻式発電装置、前記回転錘を竜頭等で巻上可能なゼンマイの力で旋回させて発電するゼンマイ式発電装置、ある部位と他の部位との温度差（熱エネルギー）で発電する熱発電装置、又は、ソーラ発電装置等の発電装置を広く適用することが可能である。
【図面の簡単な説明】
【００５６】
【図１】本発明の一実施形態に係る腕時計の正面図である。
【図２】腕時計の側断面図である。
【図３】腕時計の運針機構を示す図である。
【図４】腕時計のムーブメントの竜頭に関わる構成を示す図である。
【図５】竜頭の回転検出器の説明に供する図である。
【図６】竜頭の回転検出器の説明に供する図である。
【図７】回転検出器の説明に供する図である。
【図８】腕時計の表示パネルの構成を説明するための断面図である。
【図９】腕時計の電気的構成を示すブロック図である。
【図１０】（ａ）〜（ｄ）は表示位置変更の動作を説明するための図である。
【図１１】本発明の他の実施形態に係る腕時計の説明図である。
【図１２】図１１に示した腕時計の変更処理を示すフローチャートである。
【符号の説明】
【００５７】
１、６０…腕時計、２…時計ケース、３…バンド、４…ムーブメント、５…表示パネル（電気泳動表示パネル）、６…時計用文字盤、７…フレキシブル基板、８…制御部、表示駆動回路、９…表示駆動回路、１０…竜頭、１１ａ、１１ｂ…操作ボタン、２０……運針機構、２１…秒針（指針部）、２２…分針（指針部）、２３…時針（指針部）、３５…電気泳動層、３６…実装基板、３７…透明基板、３８…マイクロカプセル、５０…電源、５１…時計制御回路、５２…メモリー、５７…操作検出部、５８…竜頭操作検出部、５９……針位置検出部、７０…文字部、７１…付属部、ＤＡ…画素電極、ＤＢ…共通電極
【図１】
2008122124.tif 000003
【図２】
2008122124.tif 000004
【図３】
2008122124.tif 000005
【図４】
2008122124.tif 000006
【図５】
2008122124.tif 000007
【図６】
2008122124.tif 000008
【図７】
2008122124.tif 000009
【図８】
2008122124.tif 000010
【図９】
2008122124.tif 000011
【図１０】
2008122124.tif 000012
【図１１】
2008122124.tif 000013
【図１２】
2008122124.tif 000014